(57)【要約】【課題】釣竿全体の長さを調整できる釣竿を提供するにあたり、その長さの変化の程度を自由に設定できる技術を提供する。【解決手段】この釣竿は、穂先側端部内周面に嵌合雄部１ａを有する元竿１と、元竿１内に穂先側に向かって出し入れ自在に連結され、穂先側端部外周面に形成される第１嵌合雄部２ａを有すると共に、穂先側の外周面に第２嵌合雄部２ｂを有する元上竿２とを備える。そして、この元上竿２の第２嵌合雄部２ｂの穂先側に隣接する外周面には、元竿１及び元上竿２をその内部に収納可能に竿元側に延びる補助スリーブ１５が連結されている。【選択図】      図１
2004350660.tif 000002
【特許請求の範囲】
【請求項１】
筒状体である複数の竿体を順次連結してなる釣竿であって、
穂先側端部内周面に嵌合雌部を有する元竿と、
前記元竿内に穂先側に向かって出入自在に連結され、竿元側端部外周面に形成される第１嵌合雄部を有すると共に、穂先側の外周面に第２嵌合雄部を有する元上竿と、
前記元上竿の第２嵌合雄部の穂先側に隣接する外周面に穂先側端部が連結され、前記元竿及び元上竿をその内部に収納可能に竿元側に延びる補助スリーブと
を備える釣竿。
【請求項２】
筒状体である複数の竿体を順次連結してなる釣竿であって、
軸方向中央付近の内周面に第１嵌合雌部を有すると共に、竿元側端部の内周面に第２嵌合雌部を有する元竿と、
前記元竿内に穂先側に向かって出入自在に連結され、竿元側端部外周面に形成される嵌合雄部を有する元上竿と、
前記元上竿の外周面にその穂先側端部が連結され、前記元竿及び元上竿をその内部に収納可能に竿元側に延びる補助スリーブとを備え、
前記元上竿と元竿とは、前記嵌合雄部が前記第１嵌合雌部に嵌着する延伸状態と、前記嵌合雄部が前記第２嵌合雌部に嵌着する収納状態とをとり、
前記補助スリーブは、前記収納状態で前記元竿及び元上竿をその内部に収納しており、前記延伸状態で前記元上竿をその内部に収納し且つ竿元側端部において前記元竿の穂先側端部を覆っている、釣竿。
【請求項３】
筒状体である複数の竿体を順次連結してなる釣竿であって、
穂先側端部内周面に嵌合雌部を有する元竿と、
前記元竿内に穂先側に向かって出入自在に連結され、竿元側端部外周面に形成された第１嵌合雄部，及び軸方向中間の外周面に於いて隣接する部分より太径に形成された第２嵌合雄部を有する元上竿と、
前記元上竿の第２嵌合雄部の穂先側に隣接する外周面に穂先側端部が連結され、前記元竿及び元上竿をその内部に収納可能に竿元側に延びる補助スリーブとを備え、
前記元上竿の穂先側端部より前記第２嵌合雄部までの領域は、前記第２嵌合雄部より竿元側の領域に比較して厚肉であり且つ曲げ剛性が高く、
前記元上竿と元竿とは、前記嵌合雄部が前記第１嵌合雌部に嵌着する延伸状態と、前記嵌合雄部が前記第２嵌合雌部に嵌着する収納状態とをとり、
前記補助スリーブは、前記収納状態で前記元竿及び元上竿をその内部に収納しており、前記延伸状態で前記元上竿をその内部に収納し且つ竿元側端部において前記元竿の穂先側端部を覆っている、釣竿。
【請求項４】
前記元上竿の穂先側端部より第２嵌合雄部までの領域には先細りテーパが施されており、前記元上竿の第２嵌合雄部より竿元側の領域は、その穂先側端部より第２嵌合雄部までの領域に比較して小径である、請求項３に記載の竿体。
【請求項５】
前記元上竿の第２嵌合雄部より竿元側の領域は、前記穂先側端部より前記第２嵌合雄部までの領域に比較して一段小径である、請求項４に記載の竿体。
【請求項６】
前記元上竿内に穂先側に向かって出入自在に連結される中竿と、
前記中竿内に穂先側に向かって出し入れ自在に連結される穂先竿とをさらに備え、
前記穂先竿は、本体部及び前記本体部の竿元側端部に形成される連結部を有する中実竿体と、前記中実竿体の連結部が挿入される受け部が穂先側端部に形成されており前記連結部が前記受け部に挿入されて接着固定されている中空竿体とからなり、
前記中実竿体の連結部は、竿元側ほど小径化するテーパの施されたテーパ部と前記テーパ部の竿元側に延びる軸方向において径の変化しない延伸部とを有し、
前記中実竿体の本体部と連結部のテーパ部との臨界及び／又は前記延伸部の竿元側端部が外方向に膨らむ曲面となっており、
前記受け部の穂先側端部内面は前記テーパ部に合致するテーパ面となっている、請求項１〜３の何れかに記載の釣竿。
【請求項７】
前記連結部の延伸部には、前記テーパ部より緩やかに竿元側ほど小径化するテーパが施されている、請求項６に記載の釣竿。
【請求項８】
前記中実竿体は前記連結部付近において竿元側端面から穂先側方向に向かって空間が形成されている、請求項７に記載の釣竿。
【請求項９】
前記補助スリーブの周面にリールを脱着自在に装着可能なリールシートが配置されている、請求項１〜３の何れかに記載の釣竿。
【請求項１０】
前記中竿及び穂先竿の周面に軸方向にスライド移動可能に配置される複数のスライドガイドと、
前記補助スリーブ上にスライド移動可能に配置されるスリーブ用ガイドと、
各竿体を収納する際に用いられるトップカバーとをさらに備え、
前記トップカバーは、前記穂先竿及び中竿を前記元上竿内に収納した収納状態において前記元上竿の穂先側端部周面に当接される装着基部と、前記装着基部の穂先側に連続して形成され前記複数のスライドガイドを囲繞保持するガイド保護部と、前記装着基部の竿元側端部に設けられ前記スリーブ用ガイドを保持する保持部とを有している、請求項６に記載の釣竿。
【請求項１１】
前記スリーブ用ガイドは、前記補助スリーブの周面に嵌め合わされる環状部を有するフレームと前記フレームに装着されるガイドリングとを有し、
前記保持部は、前記元上竿の穂先側の周面と前記環状部の内周面との間に圧入される挿入部分を有している、請求項１０に記載の釣竿。
【請求項１２】
前記保持部の挿入部分は弾性ゴムからなる、請求項１１に記載の釣竿。
【請求項１３】
前記元上竿内に穂先側に向かって出入自在に連結される中竿と、
前記中竿内に穂先側に向かって出し入れ自在に連結される穂先竿とをさらに備え、
前記穂先竿は、本体部及び前記本体部の竿元側端部に形成される連結部を有する中実竿体と、前記中実竿体の連結部が挿入される受け部が穂先側端部に形成されており前記連結部が前記受け部に挿入されて接着固定されている中空竿体とからなり、
前記中実竿体の連結部は、竿元側ほど小径化するテーパの施されたテーパ部と前記テーパ部の竿元側に延びる軸方向において径の変化しない延伸部とを有し、
前記中空竿体の穂先側の内面は、穂先側端部から形成される前記テーパ部に合致する竿元側ほど小径化する第１テーパ面と、前記第１テーパ面の竿元側に連続する前記延伸部より軸方向長さが短い軸方向範囲において径の変化しないストレート面と、前記ストレート面の竿元側に連続する竿元側ほど大径化する第２テーパ面とを有している、請求項１〜３の何れかに記載の釣竿。
【請求項１４】
前記中竿及び穂先竿の周面に軸方向にスライド移動可能に配置される複数のスライドガイドと、
前記補助スリーブ上にスライド移動可能に配置されるスリーブ用ガイドと、
各竿体を収納する際に用いられるトップカバーとをさらに備え、
前記トップカバーは、前記穂先竿及び中竿を前記元上竿内に収納した収納状態において前記元上竿の穂先側端部周面に当接される装着基部と、前記装着基部の穂先側に連続して形成され前記複数のスライドガイドを囲繞保持するガイド保護部と、前記装着基部の竿元側端部に設けられ前記スリーブ用ガイドを保持する保持部とを有している、請求項１３に記載の釣竿。
【請求項１５】
前記スリーブ用ガイドは、前記補助スリーブの周面に嵌め合わされる環状部を有するフレームと前記フレームに装着されるガイドリングとを有し、
前記保持部は、前記元上竿の穂先側の周面と前記環状部の内周面との間に圧入される挿入部分を有している、請求項１４に記載の釣竿。
【請求項１６】
前記保持部の挿入部分は弾性ゴムからなる、請求項１５に記載の釣竿。
【請求項１７】
釣竿を構成する竿体を製造する方法であって、
芯材に、前記芯材の周方向に強化繊維が配向される周方向プリプレグ素材を１プライ巻回する工程と、
前記周方向プリプレグ素材の外周に、前記芯材の軸方向に配向される軸方向プリプレグ素材を２〜４プライ巻回する工程と、
前記軸方向プリプレグ素材の外周の所定の軸方向位置に補助用プリプレグ素材を部分的に巻回する工程と、
これらのプリプレグを焼成し、芯材を脱芯する工程とを含み、
前記軸方向プリプレグ素材は、穂先側に配置される高弾性率の強化繊維に合成樹脂を含浸させた第１軸方向プリプレグ素材と、竿元側に配置される低弾性率の強化繊維に合成樹脂を含浸させた第２軸方向プリプレグ素材とを連結して構成されており、
前記第１軸方向プリプレグ素材は、穂先側の前記芯材の周方向に沿う方向の辺を短辺，竿元側の辺を長辺とする略台形型であり、前記第２軸方向プリプレグ素材は、穂先側，竿元側の前記芯材の周方向に沿う方向の辺を凡そ等しくする略矩形型であり且つ前記辺の長さは前記第１プリプレグ素材の短辺より短く、
前記補助用プリプレグは前記第１軸方向プリプレグ素材と第２軸方向プリプレグ素材が連結される領域で、その外周に巻回されている、
竿体の製造方法。
【請求項１８】
前記第１軸方向プリプレグ素材の穂先側の辺は３プライ分，竿元側の辺は４プライ分であり、前記第２軸方向プリプレグ素材の両辺はそれぞれ２プライ分である、請求項１７に記載の製造方法。
【請求項１９】
前記第１軸方向プリプレグ素材と第２軸方向プリプレグ素材とはその連結部分において前記芯材の軸方向に斜行するように裁断され、この斜行する部分で連結されている、請求項１７に記載の竿体の製造方法。
【請求項２０】
前記周方向プリプレグ素材と前記軸方向プリプレグ素材とが予め積層されており、芯材に前記周方向プリプレグ素材が接するように、これらの積層されたプリプレグ素材を芯材に巻回する、請求項１７〜１９の何れかに記載の方法。
【発明の詳細な説明】
【０００１】
【発明の属する技術分野】
本発明は、複数の竿体をいわゆる振出形式で連結した釣竿に関する。特に、特定の竿体同士を収納状態，延伸状態の何れにおいても相互に連結固定可能とし、竿全体の長さを変化させて釣りを行えるように工夫した釣竿に関する。
また、本発明は、上述のように竿全体の長さを変化させて釣りを行えるような釣竿を構成するための竿体の製造方法に関する。
【０００２】
【従来の技術】
従来の振出形式の釣竿は、複数の筒状の竿体が穂先側の竿体から順次竿元側の竿体内に挿入可能になっている。釣りを行う際には各竿体を順次穂先側に引き出して嵌合固定して一本の竿体として用いる。一方、収納時には穂先側の竿体を順次竿元側の竿体内に収納してコンパクトな状態とする。
【０００３】
また、従来の振出形式の釣竿には竿全体の長さを変化させて釣りを行えるように工夫したものがある。このように工夫された釣竿は、例えば、穂先側端部内周面に嵌合雌部を有する元竿と、竿元側端部外周面に第１嵌合雄部を有しつつ長手方向中央付近の外周面に第２嵌合雄部を有する元上竿とを備える（例えば、特許文献１等参照）。
【０００４】
そして、この種の釣竿では、元竿の穂先側に連結される元上竿が穂先側に引き出された状態（以下「延伸状態」という）では、嵌合雌部を第１嵌合雄部と嵌着させ、元上竿が元竿内に挿入された状態（以下「収納状態」という）では、嵌合雌部を第２嵌合雄部と嵌着させることが可能となっている。
こうして、元竿と元上竿とは「延伸状態」，「収納状態」のいずれの状態においても互いに嵌合固定可能であり、状況に応じて釣竿全体の長さを変化させて釣りを行えるようになっている。
【０００５】
【特許文献１】
特開２０００−２６２１８９号公報（第１〜第２欄，図１，図２）
【０００６】
【発明が解決しようとする課題】
上述のような釣竿全体の長さを変化させることが可能な釣竿において「延伸状態」，「収納状態」の各状態に相互変換する際には、釣人は、一般に、一方の手で元竿の竿元側若しくはリールシート付近を把持しながら、他方の手で元上竿の第２嵌合雄部の穂先側付近を把持して、元上竿を元竿から引き出し若しくは収納する。このため、元上竿の引き出し長さには制約が発生する。
【０００７】
まず、第１の制約は釣人の手の長さによる制約である。
即ち、図１９に示すように、元上竿１０２を元竿１０１から引き出した際の「引き出し長さ」（リールシート付近から延伸状態における元上竿１０２の第２嵌合雄部１０２ｂの穂先側までの距離：図１９のＸ参照）を、釣人が手を広げた際の距離以上に長く設定し難い。
【０００８】
しかし、釣竿全体の長さを変化させ得るように工夫した釣竿は、収納状態と延伸状態との釣竿全体の長さの変化、即ち、元上竿を元竿から引き出した際の「引き出し長さ」を大きく設定し、状況に応じた釣りを容易に為し得ることを目的とするものである。そこで、より収納状態と延伸状態との釣竿全体の長さの変化を大きくし得るような工夫が求められる。
【０００９】
次に、第２の制約は構造上の制約である。
即ち、釣竿全体の長さを変化させ得るようにしたこの種の釣竿における「引き出し長さ」（図１９のＸ）は、一般に、元竿から引き出される元上竿の竿元側端部と、元上竿の穂先側の周面に太径化して形成される嵌合雄部との間の長さに一致する。何故なら、上述の図１９に示すように、元上竿の竿元側端部とこの嵌合雄部とが元竿の穂先側端部の嵌合雌部に嵌着するのが一般的だからである。このような構造上の制約は設計の自由度を大きく低下させる。
【００１０】
そこで、このような「引き出し長さ」の制限を回避して設計の自由度を高めるべく、延伸状態においても、元上竿の全てが元竿の穂先側に露出しないように、元上竿と元竿との嵌合部分を設定することが考えられる。
しかし、このような構造を元上竿に採用した場合、その元上竿の嵌合雄部より竿元側の領域は、元竿の外部に露出することなく常に元竿内に位置して、収納状態に於いて元竿の竿元側端部との嵌着のためのみに用いられることになる。このような元上竿の竿元側の領域は、釣竿の強度や剛性等を演出するものではない。むしろ、このような領域が存在することで、釣竿全体のしなやかな曲がり・撓りのバランスが損なわれてしまう恐れがある。
【００１１】
本発明の課題は、釣竿全体の長さを調整できる釣竿を提供するにあたり、その長さの変化の程度を自由に設定できる技術を提供することにある。
【００１２】
【課題を解決するための手段】
◎本発明に関するある釣竿は、筒状体である複数の竿体を順次連結してなる釣竿であって、穂先側端部内周面に嵌合雌部を有する元竿と、元竿内に穂先側に向かって出入自在に連結され、竿元側端部外周面に形成される第１嵌合雄部を有すると共に、穂先側の外周面に第２嵌合雄部を有する元上竿と、元上竿の第２嵌合雄部の穂先側に隣接する外周面に穂先側端部が連結され、元竿及び元上竿をその内部に収納可能に竿元側に延びる補助スリーブとを備える。
【００１３】
元上竿が元竿の穂先側に完全に引き出された延伸状態と、元上竿が元竿の内部に完全に収納された収納状態とにおいて、この元上竿と元竿とは相互に連結固定可能であり、各状態における具体的態様は以下の通りである。
まず、延伸状態においては、元竿の嵌合雌部と元上竿の第１嵌合雄部が相互に嵌着する。これらの嵌合部分が元上竿の元竿に対する抜け止めとなっているとともに、相互の竿体を連結固定する。一方、収納状態においては、元竿の嵌合雌部と元上竿の第２嵌合雄部が相互に嵌着する。そして、相互の竿体が連結固定される。
【００１４】
このような延伸状態及び収納状態の相互変換の際には、釣人は、一方の手でリールシート付近を把持しながら、他方の手で補助スリーブの竿元側外周面を把持して当該操作を行う。当該補助スリーブが元上竿の第２嵌合雄部より竿元側に延びることで、釣人は両手の間隔を過度に広げることなく当該操作が可能となる。また、元上竿を元竿から引き出した際の「引き出し長さ」を、補助スリーブの軸方向長さ分だけ大きく設定することができる。
【００１５】
◎本発明の別の釣竿は、筒状体である複数の竿体を順次連結してなる釣竿であって、軸方向中央付近の内周面に第１嵌合雌部を有すると共に、竿元側端部の内周面に第２嵌合雌部を有する元竿と、元竿内に穂先側に向かって出入自在に連結され、竿元側端部外周面に形成される嵌合雄部を有する元上竿と、元上竿の外周面にその穂先側端部が連結され、元竿及び元上竿をその内部に収納可能に竿元側に延びる補助スリーブとを備えている。
【００１６】
この元上竿と元竿とは、嵌合雄部が第１嵌合雌部に嵌着する延伸状態と、嵌合雄部が前記第２嵌合雌部に嵌着する収納状態とをとる。また、補助スリーブは、収納状態で元竿及び元上竿をその内部に収納しており、延伸状態で元上竿をその内部に収納し且つ竿元側端部において元竿の穂先側端部を覆っている。
元竿の第１嵌合雌部に元上竿の嵌合雄部が相互に嵌着した延伸状態では、嵌合部分が元上竿の元竿に対する抜け止めとなっているとともに、相互の竿体を連結固定している。この状態で、補助スリーブは元上竿の一部を内部に収納すると共に、元竿の穂先側端部をもカバーする。元竿と元上竿との外径差から生じ得る、延伸状態での元竿の穂先側端部と元上竿の周面との段差を補助スリーブが覆い隠し、その隙間へのゴミの侵入を抑え、見た目の悪さなども防ぐ。
【００１７】
一方、元竿の第２嵌合雌部と元上竿の嵌合雄部が相互に嵌着した収納状態でも、相互の竿体が連結固定される。この状態で、補助スリーブは元上竿と共に元竿も内部に収納する。
このような延伸状態及び収納状態の相互変換の際には、釣人は、一方の手でリールシート付近を把持しながら、他方の手で補助スリーブの外周面を把持して当該操作を行う。当該補助スリーブが元上竿の周面に竿元側に延びており、釣人は両手の間隔を過度に広げることなく当該操作が可能となる。また、元上竿を元竿から引き出した際の「引き出し長さ」を、任意の補助スリーブの軸方向長さに設定することができる。
【００１８】
◎本発明の他の釣竿は、筒状体である複数の竿体を順次連結してなる釣竿であって、穂先側端部内周面に嵌合雌部を有する元竿と、元竿内に穂先側に向かって出入自在に連結され、竿元側端部外周面に形成された第１嵌合雄部，及び軸方向中間の外周面に於いて隣接する部分より太径に形成された第２嵌合雄部を有する元上竿と、元上竿の第２嵌合雄部の穂先側に隣接する外周面に穂先側端部が連結され、元竿及び元上竿をその内部に収納可能に竿元側に延びる補助スリーブとを備えている。
【００１９】
この元上竿の穂先側端部より第２嵌合雄部までの領域は、第２嵌合雄部より竿元側の領域に比較して厚肉であり且つ曲げ剛性が高い。元上竿と元竿とは、嵌合雄部が第１嵌合雌部に嵌着する延伸状態と、嵌合雄部が第２嵌合雌部に嵌着する収納状態とをとる。そして、補助スリーブは、収納状態で元竿及び元上竿をその内部に収納しており、延伸状態で元上竿をその内部に収納し且つ竿元側端部において元竿の穂先側端部を覆っている。
【００２０】
この元上竿は、元竿との関係において、第１嵌合雄部と第２嵌合雄部とがそれぞれ収納状態と延伸状態とで元竿に嵌着する。この場合、第２嵌合雄部より竿元側の領域は、元竿の外部に露出することなく常に元竿内に位置し、収納状態において元竿の竿元側端部との嵌着のためにのみ用いられる部分となる。この領域は、穂先側の領域に比較して肉薄且つ曲げ剛性が低くなっており、釣竿全体の撓りのバランスが損なわれることがない。
【００２１】
なお、元上竿の穂先側端部より第２嵌合雄部までの領域には先細りテーパが施されており、元上竿の第２嵌合雄部より竿元側の領域は、その穂先側端部より第２嵌合雄部までの領域に比較して小径であるように設定してもよい。
このように設定した場合、延伸状態及び収納状態の何れかにおいて、外部に露出して釣竿全体の剛性の変化乃至バランスを演出する部分である穂先側端部より第２嵌合雄部までの領域は、一般的な先細りテーパ部分となる。他方、第２嵌合雄部より竿元側の領域は、穂先側端部より第２嵌合雄部までの領域に比較して小径として、可及的にその釣竿全体のバランスへの寄与を抑えている。
【００２２】
さらにまた、元上竿の第２嵌合雄部より竿元側の領域は、穂先側端部より第２嵌合雄部までの領域に比較して一段小径となるように設定してもよい。
このように所定の領域を一段小径に設定することで、元上竿の第２嵌合雄部より竿元側の領域の釣竿全体へのバランスの寄与を最小限度に抑え得ることになる。
【００２３】
◎また、本発明のさらに別の釣竿は、上述の元竿及び元上竿に加えて、元上竿内に穂先側に向かって出入自在に連結される中竿と、中竿内に穂先側に向かって出し入れ自在に連結される穂先竿とをさらに備えている。
この穂先竿は、本体部及び本体部の竿元側端部に形成される連結部を有する中実竿体と、中実竿体の連結部が挿入される受け部が穂先側端部に形成されており連結部が受け部に挿入されて接着固定されている中空竿体とからなる。この中実竿体の連結部は、竿元側ほど小径化するテーパの施されたテーパ部とテーパ部の竿元側に延びる軸方向において径の変化しない延伸部とを有し、中実竿体の本体部と連結部のテーパ部との臨界及び／又は延伸部の竿元側端部が外方向に膨らむ曲面となっている。また、受け部の穂先側端部内面はテーパ部に合致するテーパ面となっている。
【００２４】
このような釣竿の穂先竿は、中空竿体内に挿入されている中実竿体の連結部において、所定の部分を曲面化している。仕掛けに魚が係るなどして釣竿全体が大きく撓り、穂先竿においても、中実竿体と中空竿体とが大きく撓み、連結部と中空竿体の受け部の内周面との接触部分に大きな負荷がかかっても、連結部の径の変化する部分であって、外側に突出する部分が曲面化されており、これらの部分から受け部若しくは連結部の破損が進行し難くなっている。
【００２５】
なお、連結部の延伸部には、テーパ部より緩やかに竿元側ほど小径化するテーパを施しても良い。このようなテーパを施した場合、当該釣竿の穂先竿では、延伸部をテーパ面として中空竿体内周面への接触を可及的に抑え、中実竿体途中空竿体との連結力は、専らテーパ部における接着に委ねることになる。延伸部の中空竿体内での自由度をある程度確保することで、受け部若しくは連結部への負荷がかかった際の両者の破損の進行を抑えている。
【００２６】
さらに、この中実竿体は連結部付近において竿元側端面から穂先側方向に向かって空間が形成されていてもよい。このような中実竿体の連結部付近の空間が、中実竿体の自由度をある程度確保し、受け部若しくは連結部へ負荷がかかった際の両者の破損の進行を抑える。
なお、この種の釣竿の穂先竿では、中実竿体と中空竿体との連結部分の周面をゴム系塗料でさらにコーティングしてもよい。このゴム系塗料が、応力が集中しがちな中実竿体と中空竿体との連結部分、特に、両竿体の連結部分の周面の微妙なズレ等を吸収し、表面塗料層でのクラックの発生を抑える。
【００２７】
また、補助スリーブの周面にリールを脱着自在に装着可能なリールシートを配置してもよい。
◎本発明のさらに他の釣竿は、中竿及び穂先竿の周面に軸方向にスライド移動可能に配置される複数のスライドガイドと、補助スリーブ上にスライド移動可能に配置されるスリーブ用ガイドと、各竿体を収納する際に用いられるトップカバーとをさらに備えている。
【００２８】
このトップカバーは、穂先竿及び中竿を元上竿内に収納した収納状態において元上竿の穂先側端部周面に当接される装着基部と、装着基部の穂先側に連続して形成され複数のスライドガイドを囲繞保持するガイド保護部と、装着基部の竿元側端部に設けられスリーブ用ガイドを保持する保持部とを有している。
この構成によれば、釣竿が収納状態となったとき、各スライドガイドは釣竿の軸方向に沿って各竿体の穂先側に整列される。この状態で、装着基部が元上竿の先端部周面に沿って配置されると、各スライドガイドはガイド保護部によって囲繞保持される。また、装着基部が元上竿の先端部周面に配置されると、スリーブ用ガイドも穂先側にスライド移動し、保持部がスリーブ用ガイドに係合する。これにより、スリーブ用ガイドは、釣竿に対する所定の位置に位置決め保持されることになる。
【００２９】
また、スリーブ用ガイドは、補助スリーブの周面に嵌め合わされる環状部を有するフレームとフレームに装着されるガイドリングとを有し、保持部は、元上竿の穂先側の周面と環状部の内周面との間に圧入される挿入部分を有するような構造としてもよい。
この場合、スリーブ用ガイドは、そのフレームの円環部が補助スリーブに嵌め合わされることによって位置決めされ補助スリーブに係合される。
【００３０】
釣竿が収納状態となった際、スリーブ用ガイドは、補助スリーブの穂先側へスライド移動されて元上竿の穂先側の周面に至る。元上竿は補助スリーブよりもその外径が後端部の外径よりも小さく設定されているので、スリーブ用ガイドが先端部側へスライド移動されると、円環部の内周面と元上竿の周面との間に所定の隙間が形成される。この隙間に挿入部材が挿入され、これにより、スリーブ用ガイドが位置決め固定され、トップカバーに装着されることになる。
【００３１】
なお、保持部の挿入部分は弾性ゴムから構成してもよい。
◎また、本発明に関する釣竿では、以下のような別の穂先竿を用いても良い。この別の穂先竿は、本体部及び本体部の竿元側端部に形成される連結部を有する中実竿体と、中実竿体の連結部が挿入される受け部が穂先側端部に形成されており連結部が受け部に挿入されて接着固定されている中空竿体とからなる。
【００３２】
この中実竿体の連結部は、竿元側ほど小径化するテーパの施されたテーパ部とテーパ部の竿元側に延びる軸方向において径の変化しない延伸部とを有している。一方、中空竿体の穂先側の内面は、穂先側端部から形成されるテーパ部に合致する竿元側ほど小径化する第１テーパ面と、第１テーパ面の竿元側に連続する延伸部より軸方向長さが短い軸方向範囲において径の変化しないストレート面と、ストレート面の竿元側に連続する竿元側ほど大径化する第２テーパ面とを有している。
【００３３】
このような釣竿の穂先竿では、中空竿体内に挿入されている中実竿体の連結部が、以下のように受け部に当接している。まず、連結部のテーパ部は受け部の第１テーパ面に当接している。連結部の延伸部は受け部のストレート面に当接している。そして、連結部の延伸部の竿元側端部は、ストレート面より竿元側にはみ出して、受け部の第２テーパ面には接触していない。
【００３４】
仕掛けに魚が係るなどして釣竿全体が大きく撓り、穂先竿においても、中実竿体と中空竿体とが大きく撓み、連結部と中空竿体の受け部の内周面との接触部分に大きな負荷がかかっても、連結部の竿元側端縁は受け部に直接接触していないので、この連結部の竿元側端縁に応力が集中して、連結部の竿元側端縁から受け部若しくは連結部の破損が進行し難い。
【００３５】
◎本発明のある方法は、釣竿を構成する竿体を製造する方法であって、以下の工程を含む。芯材に、芯材の周方向に強化繊維が配向される周方向プリプレグ素材を１プライ巻回する工程。周方向プリプレグ素材の外周に、芯材の軸方向に配向される軸方向プリプレグ素材を２〜４プライ巻回する工程。軸方向プリプレグ素材の外周の所定の軸方向位置に補助用プリプレグ素材を部分的に巻回する工程。これらのプリプレグを焼成し、芯材を脱芯する工程。
【００３６】
そして、この軸方向プリプレグ素材は、穂先側に配置される高弾性率の強化繊維に合成樹脂を含浸させた第１軸方向プリプレグ素材と、竿元側に配置される低弾性率の強化繊維に合成樹脂を含浸させた第２軸方向プリプレグ素材とを連結して構成されており、第１軸方向プリプレグ素材は、穂先側の芯材の周方向に沿う方向の辺を短辺，竿元側の辺を長辺とする略台形型である。一方、第２軸方向プリプレグ素材は、穂先側，竿元側の前記芯材の周方向に沿う方向の辺を凡そ等しくする略矩形型であり且つ辺の長さは第１プリプレグ素材の短辺より短い。さらに、補助用プリプレグは第１軸方向プリプレグ素材と第２軸方向プリプレグ素材が連結される領域で、その外周に巻回されている。
【００３７】
この方法では、補助用プリプレグが嵌合雄部を構成する。そして、嵌合雄部より竿元側は第２軸方向プリプレグ素材により剛性が低く抑えられた部分として構成される。一方、嵌合雄部より穂先側は第１軸方向プリプレグ素材により剛性が高く構成されることになる。また、内層として位置することになる周方向プリプレグ素材が竿体の軸方向全体において必要な潰れ強度を担保している。
【００３８】
また、別の製造方法では、第１軸方向プリプレグ素材の穂先側の辺は３プライ分，竿元側の辺は４プライ分であり、第２軸方向プリプレグ素材の両辺はそれぞれ２プライ分である。
このようにして製造される竿体は、穂先側端部から徐々に厚肉に剛性も大きくなり、軸方向途中から剛性を低く抑えられたものとなる。
【００３９】
別の製造方法では、第１軸方向プリプレグ素材と第２軸方向プリプレグ素材とはその連結部分において芯材の軸方向に斜行するように裁断され、この斜行する部分で連結されている。
このように、両者を斜行させた状態で連結すると、竿体の軸方向での剛性の変化が可及的に小さく抑えられ、破断などが生じにくい。
【００４０】
さらに別の製造方法では、周方向プリプレグ素材と軸方向プリプレグ素材とが予め積層されており、芯材に周方向プリプレグ素材が接するように、これらの積層されたプリプレグ素材を芯材に巻回する。
予め周方向プリプレグ素材と軸方向プリプレグ素材とを積層させておくことで、巻回工程が簡略化され、また、２種のプリプレグ素材を連結する軸方向プリプレグ素材の連結の安定性も向上する。
【００４１】
【発明の実施の形態】
［第１実施形態］
以下、本発明の第１実施形態について図面を参照しつつ説明する。
（釣竿全体の構造）
本発明の第１実施形態を採用した釣竿は、図１に示すように、周面にリール（図示せず）を脱着自在に装着可能なリールシート６を有する元竿１と、元竿１の穂先側に順次振出形式で連結される、元上竿２，第１中竿３，第２中竿４及び穂先竿５とを有している。これら元竿１〜穂先竿５は炭素繊維またはガラス繊維等に合成樹脂を含浸させたプリプレグ素材から形成される先細り筒状部材である。これらはいわゆる振出形式で連結されており、元上竿２〜穂先竿５は穂先側から順次竿元側の竿体の内部に挿入され出し入れ自在である。また、元上竿２には補助スリーブ１５が装着されている。
【００４２】
これらの元上竿２〜穂先竿５を穂先側に引き出した際には、それぞれの竿体が、穂先側に位置する竿体の竿元側端部外周面と竿元側に位置する竿体の穂先側端部内周面とで相互に嵌着し、穂先側への抜け止め且つ相互の連結固定が可能となっている。この状態で、釣人はこの釣竿を用いて釣りをおこなうことになる。一方、釣りを終えた際には、穂先竿５から順次竿元側の竿体内に竿体を収納してコンパクトな状態とする。さらに、特に、元上竿２と元竿１とにあっては、後述のように、延伸状態，収納状態の何れの状態にあっても、相互に連結固定可能となっており、釣竿全体の長さを調整しながら釣りをおこなうことができる。
【００４３】
また、第１中竿３，第２中竿４，穂先竿５には、最も穂先側に配置され軸方向に移動不能に固定されている固定ガイド９と、その竿元側の周面に軸方向に移動自在且つ所定の位置に置いて係止可能に配置された複数のスライドガイド１０が必要に応じて配置されている。穂先竿５に於ける固定ガイド９はトップガイドである。スライドガイド１０は、小径化する各竿体の周面において所定の軸方向位置で竿体の周面に嵌着し、且つ、穂先側に向かってスライド移動可能である。
【００４４】
さらに、補助スリーブ１５の周面にもスリーブ用ガイド１６が配置される。スリーブ用ガイド１６も上述のスライドガイド１０と同様に、補助スリーブ１５の周面に軸方向に移動自在且つ所定の位置に置いて係止可能に配置される。補充スリーブ１５からさらに穂先側へもスライド移動可能である。
なお、この実施形態においては、竿体の本数を５本としているが、竿体の数は任意に設定するものであり、これに限定されるものではない。
【００４５】
（元竿１と元上竿２について）
次に、元竿１と元上竿２との連結構造について、詳しく説明する。図２及び図３に於いて模式的に示すように、元竿１及び元上竿２はそれぞれ一定の先細りテーパが施された筒状体である。
この元竿１の竿元側端部には脱着自在に底栓７が装着されている。元竿１は内部に元上竿２が収納可能な筒状体であり、その穂先側端部外周縁には必要に応じて保護用の金属リングが装着される。また、穂先側端部の内周面が嵌合雌部１ａとなっている。この嵌合雌部１ａは他の部分に比べて必要に応じて小径化して形成する部分である。
【００４６】
一方、元上竿２は、竿元側端部外周面に形成された第１嵌合雄部２ａと、その穂先側の外周面に形成された第２嵌合雄部２ｂとを有している。これらの各部分は、元上竿２の筒状部分と一体的に以下のようにして形成されている。即ち、この元上竿２は上述のように炭素繊維等の強化繊維に合成樹脂を含浸させてなるプリプレグ素材を焼成して筒状に形成するものである。このような筒状体を製造する際に、必要な所定の箇所に補助用プリプレグ素材を筒状体形成用プリプレグ素材の外周面に巻回しておき、これらの各素材を全体として焼成する。なお、この際に用いる補助用プリプレグは竿体の軸方向に強化繊維が配向されたものを用いるのが好ましい。
【００４７】
従って、この釣竿の元竿１と元上竿２とは、後述のように、元上竿２を元竿１の穂先側に引き出した延伸状態（図３（ｂ）参照）と、元上竿２を元竿１内に収納した収納状態（図３（ａ）参照）との何れにおいても、相互に連結固定し得る。
一方、補助スリーブ１５は、元竿１より大径の筒状部材である。元竿１などの各竿体と同様に所定のプリプレグ素材を焼成して形成しても、硬質合成樹脂若しくは金属等から形成してもよい。この補助スリーブ１５は、元上竿２の第２嵌合雄部２ｂの穂先側に隣接する外周面に穂先側端部が連結され、元竿１及び元上竿２の第２嵌合雄部２ｂより竿元側をその内部に収納可能に竿元側に延びている。この補助スリーブ１５の元上竿２への固定方法は周知の方法を用いれば足りる。この実施形態では、補助スリーブ１５を接着などによって元上竿２の周面に固定した例を示している。もっとも、例えば、元上竿２の所定位置の周面に雌ねじ部分を形成し、補助スリーブ１５を螺着させる手法を採用して、補助スリーブ１５を元上竿２より取り外し可能としても良い。
【００４８】
なお、この補助スリーブ１５の軸方向長さは任意に設定可能であるが、少なくとも、元竿１の穂先側端部からリールシート６迄の長さより短く設定される。その外周面には、ユーザが把持しやすいように滑り止め用の凹凸を設けたり、ウレタンゴム等からなるグリップを配置してもよい。
補助スリーブ１５上に配置されるスリーブ用ガイド１６は、脚を構成するフレーム４０と、ガイドリング４１とを備えている。フレーム４０は、環状部４２を有し、この環状部４２が補助スリーブ１５の外側に嵌め込まれている（図１０参照）。
【００４９】
環状部４２の内径寸法は、補助スリーブ１５の所定の軸方向位置の外径寸法に対応されている。スリーブ用ガイド１６が補助スリーブ１５上の所定に位置へスライドされることによって、環状部４２の内径と補助スリーブ１５の外径との関係（はめあい）によって、所定の位置に固定される。また、スリーブ用ガイド１６は穂先側に向かってスライド移動も可能となっている。
定位置に固定されるようになっている。
【００５０】
（元上竿２と元竿１との操作について）
このように構成される釣竿では、穂先竿５より順次各竿体を穂先側に引き出して一本の長い竿体にして釣りをおこなう。釣りを終えた後は、穂先竿５より順次各竿体を竿元側の竿体内部に収納してコンパクトな状態とする。さらに、元上竿２が元竿１の穂先側に完全に引き出された状態（延伸状態）と、元上竿２が元竿１の内部に完全に収納された状態（収納状態）とにおいて、この元上竿２と元竿１とは相互に連結固定可能であり、釣竿全体の長さを調整して釣りができる。即ち、５つの竿体の全てを伸ばした状態と４本分のみ伸ばした状態との何れにおいても魚釣りを行うことができるのである。この各状態における具体的態様は以下の通りである。
【００５１】
延伸状態においては、図３（ｂ）に示すように、元竿１の嵌合雌部１ａと元上竿２の第１嵌合雄部２ａが相互に嵌着する。一方、収納状態においては、図３（ａ）に示すように、元竿１の嵌合雌部１ａと元上竿２の第２嵌合雄部２ｂが相互に嵌着する。そして、このような延伸状態及び収納状態の相互変換の際には、釣人は、図２に示すように、一方の手でリールシート付近等を把持しながら、他方の手で補助スリーブ１５の竿元側外周面を把持して、元上竿２の出し入れの操作を行う。この補助スリーブ１５が元上竿２の第２嵌合雄部２ｂより竿元側に延びることで、釣人は両手の間隔を過度に広げることなく、元上竿２の出し入れの操作が可能となる。また、元上竿２を元竿１から引き出した際の「引き出し長さ」を、補助スリーブ１５の軸方向長さ分だけ大きく設定することも可能となる。
【００５２】
（穂先竿５について）
次に、穂先竿５の構造について説明する。
図４に示すように、穂先竿５は、穂先側の中実竿体９２と竿元側の中空竿体９１とを連結し接着固定して一本の竿体としたものである。穂先竿５では、その穂先側端部（即ち、中実竿体９２の穂先側端部）には上述の固定ガイド９（トップガイド）が装着されており、その竿元側端部（即ち、中空竿体９１の竿元側端部）には他の竿体と連結するための嵌着部分９１ａが形成される。さらに、軸方向に間隔を隔てて複数のスライドガイド１０も装着されている。
【００５３】
中実竿体９２は、全体として穂先側ほど小径化するテーパが施された棒状・中実のソリッド体である。例えば、炭素繊維を軸方向に引き揃え熱硬化性樹脂を含浸させた炭素繊維強化樹脂を加圧加熱して形成される。そして、図５に示すように、この中実竿体９２の竿元側端部には他の部分より小径に連結部９３が形成されている。この連結部９３は、竿元側ほど急激に小径化する逆テーパ部Ｘ１とその竿元側に連続して形成され軸方向において径の変化しない延伸部Ｙ１との２段階構造となっている（図６参照）。例えば、１つの例を示すと、中実竿体９２の最大外径は２．１０ｍｍ程度とする。そして、逆テーパ部Ｘ１はそのテーパ率は５０／１０００程度に設定される。逆テーパ部Ｘ１の軸方向長さは任意に設定可能であるが、１０ｍｍ程度の長さとするのがよい。延伸部Ｙ１は軸方向において径の変化がない若しくは殆ど径の変化が認められない部分である。延伸部Ｙ１の外径は１．５５〜１．５８ｍｍ程度とし、その軸方向長さも上述の逆テーパ部Ｘと同様に１０ｍｍ程度の長さ若しくはそれ以上の長さ（例えば、１５ｍｍとするのがよい。
【００５４】
図６に示すように、この連結部９３において、中実竿体９２の連結部９３以外の部分（本体部）と連結部９３の逆テーパ部Ｘ１との臨界Ｐ１と、延伸部Ｙ１の竿元側端部Ｐ２とがそれぞれ外方向に膨らむ曲面（Ｒ面）となっている。この曲面は連結部９３を形成後に研磨などして形成すれば足りる。なお、ここでは、Ｐ１，Ｐ２の何れにおいても曲面化を施しているが、何れか任意の一方のみを曲面化してもよい。
【００５５】
一方、中空竿体９１は、全体として穂先側ほど小径化するテーパが施された先細り筒状部材である。炭素繊維強化樹脂等の素材を焼成して形成されている。穂先側端部の内周が上述の連結部９３を受ける受け部９４となっている。この受け部９４は、上述の連結部９３の逆テーパ部Ｘ１及び延伸部Ｙ１に対応するようにその内径が設定されて２段テーパ構造となる。この受け部９４はリーマ加工などによって形成され、その内径は、延伸部Ｙ１の外径１．５５〜１．５８ｍｍ程度に対してやや大きめに、１．５７〜１．６０ｍｍ程度に設定する。接着剤を隙間に介在させるためである。
【００５６】
この中実竿体９２と中空竿体９１とは、連結部９３を受け部９４に穂先側から挿入した上で接着剤によって接着固定される。その上で、図５に示すように、中実竿体９２と中空竿体９１との境界面部分から軸方向に一定の範囲で、ゴム系塗料９５がその両竿体の周面に塗布される。ゴム系塗料９５の塗布後には、さらに、穂先竿５の周面全体に周面塗装を施し、中実竿体９２と中空竿体９１との連結部分が外部より認識し得ないようにしてもよい。
【００５７】
このような穂先竿５は、上述のように、中空竿体９１内に挿入されている中実竿体９２の連結部９３において、所定の部分を曲面化している。仕掛けに魚が係るなどして釣竿全体が大きく撓り、穂先竿５においても、中実竿体９２と中空竿体９１とが大きく撓み、連結部９３と中空竿体９１の受け部９４の内周面との接触部分に大きな負荷がかかっても、連結部９３の径の変化する部分であって、外側に突出する部分が曲面化されており、これらの部分から受け部９４若しくは連結部９３の破損が進行し難くなっている。
【００５８】
なお、この実施形態では、このような特殊な穂先竿５を利用しているが、その他の一般的な穂先竿５を用いることも可能である。
（トップカバー２０について）
続いて、本発明の釣竿において、各竿体を収納してコンパクトに収納した状態を説明する。
【００５９】
図７〜１０に示すように、本発明の釣竿を構成する各竿体を竿元側の竿体内に収納した状態で、元上竿２の穂先側にトップカバー２０が装着される（特に、図１０参照）。このトップカバー２０は、釣竿を構成する竿体及び各種の釣糸ガイド（スライドガイド１０等）を略位置決め状態で保持し、搬送時等における釣糸ガイド等の損傷を防止するためのものである。
【００６０】
このトップカバー２０は、装着基部２１と、ガイド保護部２２と、保持部２３とを備えている。装着基部２１とガイド保護部２２とはポリカーボネイトなどの合成樹脂から一体的に形成されている。
装着基部２１は、トップカバー２０が釣竿に装着される際に、各竿体が収納された元上竿２の穂先側の周面に当接するように配置される。この装着基部２１は真直な板状に形成されており、この部分が元上竿２の先端部周面に沿ってその軸方向に沿って配置される。また、装着基部２１の内面２４は、湾曲面に形成されている。この内面２４の曲率半径は、釣竿の先端部の外径寸法に対応されている。したがって、装着基部２１は安定した状態で元上竿２の周面に接触する。
【００６１】
ガイド保護部２２は、図７に示すように、細長筒状に形成されている。このガイド保護部２２は、装着基部２１が元上竿２の先端部周面に取り付けられた状態で、各釣糸ガイド（スライドガイド１０や固定ガイド９）を囲繞して保護している。
また、ガイド保護部２２は、ガイド支持部材２５を備える。このガイド支持部材２５は、細長棒状（針状）に形成されている。ガイド支持部材２５は、ガイド保護部２２の底面にいわゆる片持ち状に固定されており、ガイド保護部２２の長手方向に沿って延びている。
【００６２】
このガイド支持部材２５は、例えば、樹脂若しくは屈曲自在な金属線などにより構成される。ガイド支持部材２５は、各釣糸ガイドに挿通されるようになっており、ガイド支持部材２５が挿通されることによって、各釣糸ガイドは、略位置決め状態で保持される。なお、ガイド支持部材２５の先端部には小孔２６が設けられており、釣糸が各釣糸ガイドに挿通される際のいわゆる糸通しとして利用することもできる。
【００６３】
装着基部２１は、さらに固定バンド２７を有している。この固定バンド２７は、例えばゴムにより構成され、薄肉帯状に形成されている。固定バンド２７は、その基端部が装着基部２１に固定されており、また、その先端部には、貫通孔３０が設けられている。一方、装着基部２１の外面２８には、突起２９が突設されている。
【００６４】
この固定バンド２７は、装着基部２１が釣竿の先端部周面に沿わされた状態で、両者に巻き回され、固定バンド２７の上記貫通孔３０に上記突起２９が嵌め込まれる。これにより、装着基部２１は、釣竿に締結され、確実に固定される。
保持部２３は、例えばゴムにより構成される。もっとも、保持部２３を構成する材料は、ゴムに限定されるものではなく、樹脂等により構成されていてもよい。ただし、保持部２３は、ゴム等の弾性に富む材料で構成されるのが好ましい。この保持部２３は、全体として細長板状に形成されており、基部３１と挿入部３２（挿入部材）とを備えている。
【００６５】
基部３１は、上記装着基部２１の内面２４に沿って配置されている。基部３１は、例えば、接着剤や両面テープ等によって装着基部２１に固着されている。
挿入部３２は、本実施形態では、基部３１と一体的に形成されており、基部３１に連続して装着基部２１の長手方向に延びている。挿入部３２の先端部の厚み寸法ｄは、所定の寸法に設定されており、釣竿の仕様に応じて適宜１．５ｍｍ〜６．０ｍｍの範囲で設定され得る。
【００６６】
この挿入部３２は、いわゆる楔状に形成されている。具体的には、挿入部３２の下面３３は、上面３４に対して傾斜しており、これにより、挿入部３２の厚み寸法は、先端部から基部３１側に向かって漸次大きくなるように設定されている。なお、挿入部３２の最大厚み寸法は、３ｍｍ〜８ｍｍの範囲で設定され得る。
なお、このトップカバー２０では、挿入部３２は、基部３１と一体的に形成されているが、挿入部３２が別部材として構成され、基部３１に連結されていてもよい。その場合、挿入部３２は、ゴム等の弾性に富む材料で構成されるのが好ましい。
【００６７】
（トップカバー２０の装着方法）
次に、本発明の釣竿の各竿体を収納した収納状態において、このトップカバー２０を元上竿２に装着する手順を説明する。
図１０に示すように、釣りを終えたユーザは、穂先竿５，第２中竿４，第１中竿３の周面に配置されているスライドガイド１０を順次穂先側にスライド移動させた上で、穂先側の竿体から元上竿２までを順次元竿１内に収納する。そして、ユーザはトップカバー２０の装着基部２１を元上竿２の穂先側周面に沿って当接させつつガイド保護部２２内に穂先竿５等を収納する。さらに、ユーザはガイド支持部材２５に各釣糸ガイド（固定ガイド９及びスライドガイド１０）を挿通させる。
【００６８】
さらに、ユーザは補助スリーブ１５上のスリーブ用ガイド１６を穂先側にスライド移動させて、元上竿２の周面へとスリーブ用ガイド１６を導く。スリーブ用ガイド１６の環状部５２の内周面と元上竿２の外周面との間には、径差から所定の隙間が形成されることになる。そして、この隙間に保持部２３が係合する。つまり、スリーブ用ガイド１６は、保持部２３によって位置決めされて保持される。
【００６９】
［第２実施形態］
本発明の第２実施形態について、図１１を参照しつつ説明する。
釣竿全体の一般的な構造は上記第１実施形態と同様であり、先細りテーパの施された元竿５１と元上竿５２とは延伸状態・収納状態の何れにおいても相互に連結固定可能である。
【００７０】
この元竿５１の周面には、上記第１実施形態と同様に、リールシート６が配置される。また、竿元側端部には、尻栓７が脱着自在に装着されると共に、この底栓７の穂先側に隣接して元竿５１の内部にストッパーリング５３（第２嵌合雌部に相当する）が配置されている。このストッパーリング５３は軸方向に貫通する円筒型部材であり、内周面に径内方向に突出する複数の突起が周方向に間隔を隔てて軸方向に延びている。このストッパーリング５３は元竿５１の竿元側端部から挿入され、例えば、接着剤等で固定される。必要に応じて取り外し可能にしてもよい。そして、この突起に後述の元上竿５２の嵌合雄部５２ａが穂先側から挿入されて嵌着する（図１１（ｂ）参照）。
【００７１】
また、元竿１の軸方向中央付近の内周面も、後述の元上竿５２の嵌合雄部５２ａが嵌着する部分であり、第１嵌合雌部５１ａとなっている（図１１（ａ）参照）。第１嵌合雌部２１ａは、他の部分より別途内径を小径化させてもよいが、元竿５１のテーパと後述の元上竿５２の嵌合雄部の外径との関係によって、元竿５１の所定の軸方向位置の内周面に嵌着し得るようにしてもよい。この第１嵌合雌部５１ａとストッパーリング５３との軸方向距離が「引き出し長さ」に相当する。適当な「引き出し長さ」としては５００〜６００ｍｍ程度である。
【００７２】
元上竿５２も上記第１実施形態と同様の先細りテーパの施された筒状体である。竿元側端部に他の部分より大径化された嵌合雄部５２ａが設定される。この嵌合雄部５２ａが元竿５１の所定の部分に嵌着し得ることは既に説明したとおりである。
この元上竿５２の周面にも補助スリーブ１５が配置される。補助スリーブ１５は、元竿２１より大径の筒状部材である。上記第１実施形態と同様に、所定のプリプレグ素材を焼成して形成しても、硬質合成樹脂より形成してもよい。
【００７３】
この補助スリーブ１５の装着位置は以下の通りである。
元竿５１の第１嵌合５１ａに元上竿５２の嵌合雄部５２ａが嵌着する延伸状態（図１１（ａ））において、補助スリーブ１５の竿元側端部が元竿５１の穂先側端部を覆うような位置で、補助スリーブ１５の穂先側端部が元上竿５２の外周面に連結される。この補助スリーブ１５の軸方向長さは、元竿５１の穂先側端部からリールシート６迄の長さより短く設定する必要がある。結果的には、補助スリーブ１５の軸方向長さが上述の「引き出し長さ」に相当することになる。
【００７４】
このように構成される釣竿においても、延伸状態・収納状態の何れにおいても、元上竿５２と元竿５１とを相互に連結固定可能であり、釣竿全体の長さを調整して釣りができる。このような延伸状態及び収納状態の相互変換の際には、釣人は、第１実施形態と同様に、一方の手でリールシート付近等を把持しながら、他方の手で補助スリーブ１５の竿元側外周面を把持して、元上竿５２の出し入れの操作を行うことができる。
【００７５】
特に、図１１（ａ）に示すような延伸状態において、補助スリーブ１５が元上竿５２の一部を内部に収納すると共に、元竿５１の穂先側端部をもカバーする。そして、元竿５１と元上竿５２との外径差から生じ得る、延伸状態での元竿５１の穂先側端部と元上竿５２の周面との段差を補助スリーブ１５が覆い隠し、その隙間へのゴミの侵入を抑え、見た目の悪さなども防ぐ。また、元上竿５２を元竿５１から引き出した際の「引き出し長さ」を、任意の補助スリーブ１５の軸方向長さに設定することができる。即ち、「引き出し長さ」に関する設計の自由度が向上する。
【００７６】
［第３実施形態］
さらに、第２実施形態の変形例として、第３実施形態を図１２に模式的に示す。
この釣竿における元竿５１と元上竿５２との連結構造は上記第２実施形態と同様である。即ち、元竿５１は竿元側端部にストッパーリング（図示せず）を備え、軸方向中央付近の内周面を第１嵌合雌部５１ａとしている。一方の、元上竿５２は竿元側端部に嵌合雄部５２ａを有する。そして、上記第２実施形態において説明するような位置において元上竿５２の周面に補助スリーブ１５が連結されている。
【００７７】
この釣竿では、リールシート６が補助スリーブ１５の周面に配置されている。リールシート６は周知の別部材を装着すれば足りる。例えば、巻糸などでリールシート６を巻回して樹脂コーティングなどを施す。若しくは、補助スリーブ１５の周面にパイプ状のリールシート６を配置して一体成型しても良い。
このように補助スリーブ１５上にリールシート６を配置すると、図１２に示すように、延伸状態・収納状態相互の状態変化により、リールシート６から釣竿の竿元側端部までの長さを相対的に変化する。釣り操作の状況にあわせて、このリールシート６から釣竿の竿元側端部までの長さを変化させることで、釣人が好みのリールシート６位置で釣り操作を行うことが可能となる。例えば、延伸状態として、脇に元竿５１を挟み込みながら釣り操作をおこなうようなことも可能である。
【００７８】
［第４実施形態］
以下、本発明の第４実施形態について図面を参照しつつ説明する。
（釣竿の構造）
本発明の第４実施形態を採用した釣竿の基本的な構造は、第１実施形態と同様である。元竿６１と元上竿６２とが、以下のような構造になっている。
【００７９】
図１３及び図１４に示すように、元竿６１は一定の先細りテーパが施された筒状体である。この元竿６１の竿元側の周面にはリールを取り付けるためのリールシート６が、また、竿元側端部には脱着自在に尻栓７が装着されている。この点は、上記第１実施形態と同様である。また、穂先側端部外周縁には嵌合リング７１が装着されている。嵌合リング７１は元上竿６２の延伸状態において補助スリーブ１５の竿元側端部と嵌着し、がた止め作用を奏する（図１４参照）。一方、元竿６１の竿元側端部内周面はねじ溝が形成され、ここに尻栓７が螺着している。この尻栓７は元上竿６２の竿元側端部を収納し内嵌可能な嵌合雌部を有する（図１３参照）。
【００８０】
元上竿６２も必要な先細りテーパの施された筒状体である。竿元側端部外周面に隣接する部分より太径に形成された第１嵌合雄部６２ａを有する。また、その穂先側の外周面にも隣接する部分より一段太径に第２嵌合雄部６２ｂが形成され、さらに、その穂先側の外周面にも隣接する部分より一段太径の太径部６２ｃが形成されている。これらの各部分は、後に詳しく説明するように、元上竿６２の筒状部分と一体的に所定のプリプレグ素材から形成されている。この第１嵌合雄部６２ａは収納状態において上述の元竿６１の尻栓７の嵌合雌部に、第２嵌合雄部６２ｂは延伸状態において元竿６１の穂先側端部内周面に嵌着する部分である（図１３・図１４参照）。
【００８１】
この元上竿６２は、詳しくは、穂先側端部より第２嵌合雄部６２ｂまでの領域は高剛性の先細り筒状体であり、第２嵌合雄部６２ｂより竿元側の領域はその穂先側より一段低剛性・小径のものである。第２嵌合雄部６２ｂより竿元側の領域は軸方向において径の変化のない部分としてもよい。
補助スリーブ１５は、上記第１実施形態と同様に、元竿６１より大径の筒状部材である。元竿６１などの各竿体と同様に所定のプリプレグ素材を焼成して形成しても、硬質合成樹脂若しくは金属素材から形成してもよい。この補助スリーブ１５は、元上竿６２の第２嵌合雄部６２ｂの穂先側に隣接する外周面に形成された太径部６２ｃにおいて、その穂先側端部が元上竿６２に連結固定され、元竿６１及び元上竿６２をその内部に収納可能に竿元側に延びている。この補助スリーブ１５の元上竿６２への固定方法は周知の方法を用いれば足り、例えば、接着，ねじ螺合などの手法を採用すれば足りる。この点も第１実施形態と同様である。
【００８２】
（元上竿６２の製造方法）
次に、上述の元上竿６２の製造方法を具体的に説明する。
図１５（ａ）に示すように、まず、芯材１００に必要な離型材などを塗布し、芯材１００の周面に周方向プリプレグシートＰ１を巻回する。この周方向プリプレグシートＰ１は、芯材１００の周方向に強化繊維が配向されるように、炭素繊維やガラス繊維を引き揃えた上にエポキシ樹脂などを含浸させたプリプレグ素材をシート状に加工したものである。この周方向プリプレグシートＰ１は、それぞれ巻回長さを穂先側及び竿元側において１プライとなるように設定する。芯材１００に一定のテーパが施されている場合には、穂先側の辺と竿元側の辺との長さがそのテーパ分異なることになる。なお、ここでは、周方向プリプレグシートＰ１を用いた場合を例示しているが、テープに加工したプリプレグ素材を用いてもよい。この場合には、テープの長手方向に強化繊維を配向する。そして、テープ状のプリプレグ素材を芯材１００に対して螺旋状に隙間なく巻回してゆく。
【００８３】
次に、図１５（ｂ）に示すように、軸方向プリプレグシートＰ２を巻回する。この軸方向プリプレグシートＰ２は、２種類のプリプレグシートを貼り合わせて連結したものである。即ち、軸方向プリプレグシートＰ２は、穂先側に配置される高弾性率の強化繊維に合成樹脂を含浸させた第１軸方向プリプレグ素材Ｐ２ａと、竿元側に配置される低弾性率の強化繊維に合成樹脂を含浸させた第２軸方向プリプレグ素材Ｐ２ｂとを連結して構成されている。
【００８４】
第１軸方向プリプレグ素材Ｐ２ａは、強化繊維として炭素繊維を用いその引張弾性率が４０ｔ／ｍｍ２であり、且つ、その炭素繊維が芯材１００の軸方向に引き揃えて配向されている。その形状は、穂先側を短辺に、竿元側を長辺とするような略台形型である。詳しくは、穂先側の短辺が３プライ分、竿元側の長辺が４プライ分の巻回長さを有している。もっとも、この実施形態では、後述のように第２軸方向プリプレグ素材Ｐ２ｂとの連結部分を斜行させているので、長辺側部分の一部は斜めに切り欠かれている。第１軸方向プリプレグ素材Ｐ２ａとしては、このような斜めの切り欠き部分を形成することなく、略台形型のままのものを用いても良い。なお、この第１軸方向プリプレグ素材Ｐ２ａの略台形型の高さ（軸方向長さに相当）は、元上竿６２の穂先側端部から第２嵌合雄部６２ｂまでの長さに対応する。
【００８５】
第２軸方向プリプレグ素材Ｐ２ｂは、強化繊維として炭素繊維を用いその引張弾性率が２０ｔ／ｍｍ２であり、且つ、その炭素繊維が芯材１００の軸方向に引き揃えて配向されている。その形状は、穂先側，竿元側の両辺を原則として同じくする略矩形型である。詳しくは、芯材１００のテーパにあわせて穂先側の短辺が２プライ分、竿元側の長辺も２プライ分の巻回長さを有するように設定するので、両者の長さは完全に一致するものではない。もっとも、この実施形態では、第１軸方向プリプレグ素材Ｐ２ａとの連結部分を斜行させているので、穂先側の辺の一部は斜めに穂先側に張り出している（上記第１軸方向プリプレグ素材Ｐ２ａの切り欠き部分に相当）。第１軸方向プリプレグ素材Ｐ２ａとして、このような斜めの切り欠き部分を形成することなく、略台形型のままのものを用いた場合には、第２軸方向プリプレグ素材Ｐ２ｂも略矩形型のままとなる。
【００８６】
このような２種類の軸方向プリプレグ素材を斜行した部分で貼り合わせて連結し、１つの軸方向プリプレグシートＰ２としたものを上述の周方向プリプレグシートＰ１の外周に巻回する。なお、両者の連結の際には、巻回開始側を揃えて（図１５（ｂ）の下側の辺）連結する。
続いて、図１５（ｃ）に示すように、軸方向プリプレグシートＰ２の外周の所定の軸方向位置に、補助用プリプレグシートＰ３を巻回する。ここでは、２つの補助用プリプレグシートＰ３を巻回している。一方の補助用プリプレグシートＰ３は、上述の第１軸方向プリプレグ素材Ｐ２ａと第２軸方向プリプレグ素材Ｐ２ｂとの連結部分に巻回する。これが元上竿６２の第２嵌合雄部６２ｂを形成することになる。他方の補助用プリプレグシートＰ３は、より穂先側の周面に巻回する。これが元上竿６２の太径部６２ｃを形成する。なお、さらに、第１嵌合雄部６２ａを形成するための補助用プリプレグシートＰ３を上述の軸方向プリプレグシートＰ２の竿元側端部の周面に巻回してもよい。
【００８７】
その後、必要に応じて、これらの各種プリプレグの周面にポリプロピレン等からなる成型用テープを巻回し、炉内において焼成する。そして、芯材１００を脱芯して周面の成型用テープを剥離し、さらに、周面を研磨加工乃至径調整し、必要な塗装等を施して、元上竿６２を製造する。
なお、この方法では、周方向プリプレグシートＰ１と軸方向プリプレグシートＰ２とを順次巻回しているが、両者を予め積層させておき、一回的に芯材１００に巻回してもよい。このときも、周方向プリプレグシートＰ１が芯材１００側に位置するようにする。
【００８８】
このような方法にあっては、一方の補助プリプレグシートＰ３が第２嵌合雄部２ａを形成する。そして、この部分より竿元側は第２軸方向プリプレグ素材Ｐ２ｂにより剛性が低く抑えられた部分として、また小径の領域として構成される。一方、第２嵌合雄部６２ａより穂先側は第１軸方向プリプレグ素材Ｐ２ａにより剛性が高く、また、竿元側ほど太径になるテーパ領域として構成されることになる。さらに、内層として位置することになる周方向プリプレグシートＰ１が元上竿６２の軸方向全体において必要な潰れ強度を担保している。
【００８９】
こうして製造される元上竿６２では、第２嵌合雄部６２ａより竿元側の領域が、肉薄・小径且つ低剛性であり、釣竿全体の撓りのバランスが損なうことがない。また、２種の異なる引張弾性率の強化繊維を連結して竿体を製造しているが、両者の連結部分での不当な破断なども生じ難くなっている。
なお、上記元上竿２の製造方法は一例を示すものであり、ここで特定した数値等に製造方法が限定されるものではない。製造するべき元上竿６２の径，必要とされる強度等の条件に沿って、任意に調整変更するべきものである。
【００９０】
［他の実施形態］
（ａ）さらに、上記の各実施形態において採用した穂先竿５の変形例を示す。
この実施形態における穂先竿も、上記第１実施形態と同様に２本の竿体を連結して一本の竿体としたものである。即ち、図１６に示すように、この穂先竿は、穂先側に位置する中実竿体９６とその竿元側に位置する中空竿体９７との２本の竿体を連結して固定したものである。
【００９１】
中実竿体９６及び中空竿体９７の構成は、原則として上記第１実施形態と同様のものである。即ち、中実竿体９６は竿元側端部に連結部９８を有し、中空竿体９７は穂先側端部内周が受け部９９となっている。そして、この連結部９８を受け部９９に挿入した上で接着剤によって相互に接着固定されている。
もっとも、この中実竿体９６の連結部９８は、上記第１実施形態と異なり、竿元側ほど急激に小径化する逆テーパ部Ｘ２のみではなく、その竿元側に連続する延伸部Ｙ２も竿元側ほど小径化するテーパが施されている。逆テーパ部Ｘ２はそのテーパ率は５０／１０００程度に設定されるが、延伸部Ｙ２のテーパはより緩やかなテーパで、１〜１０／１０００程度に設定すれば足りる。その上で、上記第１実施形態と同様に、中実竿体２０の連結部９８以外の部分（本体部）と連結部９８の逆テーパ部Ｘ２との臨界と、延伸部Ｙ２の竿元側端部とがそれぞれ外方向に膨らむ曲面（Ｒ面）となっている。
【００９２】
さらに、この中実竿体９６の連結部９８においては、竿元側端面から穂先側方向に向かって空間が形成されている。この空間はおよそ連結部９８の逆テーパ部Ｘ２の穂先側付近まで形成されれば足りる。そして、この空間の穂先側は拡径しており、入り口側（竿元側端部）に比較して大きな空間を形成している。
このような連結部９８に空間を形成する中実竿体９６は、例えば、竿元側端部に空洞を形成した左右一対の半割部材を貼り合わせ、その貼り合わせた半割部材の外周面に、プリプレグシート若しくはプリプレグテープを巻回し、焼成して一体化させて製造することができる。
【００９３】
一方、中空竿体９７は、上記第１実施形態と同種のものであり、全体として穂先側ほど小径化するテーパが施された先細り筒状部材である。炭素繊維強化樹脂等の素材を焼成して形成されている。穂先側端部の内周が上述の連結部９８を受ける受け部９９となっているが、受け部９９は、上述の連結部９８の逆テーパ部Ｘ２に対応するようにその内径が設定されており、延伸部Ｙ２との接触は予定されない。そして、中空竿体９７と中実竿体９６とは、連結部９８を受け部９９に挿入した上で、専ら逆テーパ部Ｘ２での両者の接着によって連結固定される。なお、上記第１実施形態と同様に、中空竿体９７と中実竿体９８との外周面にはゴム系塗料を塗布してもよい。
【００９４】
このような構造では、延伸部Ｙ２をテーパ面として中空竿体９７の内周面への接触を可及的に抑え、中実竿体９６と中空竿体９７との連結力は専ら逆テーパ部Ｘ２に於ける接着に委ねる。そして、延伸部Ｙ２の中空竿体９７内での自由度をある程度確保することで、受け部９９若しくは連結部９８へ負荷がかかった際の両者の破損の進行をさらに抑えている。
（ｂ）さらに、図１７に示すように、中実竿体９６の延伸部Ｙ２は軸方向に径がおよそ変化しないようなものとしても良い。そして、特に、この中実竿体９６の連結部に竿元側端面から空間を形成するに当たっては、延伸部Ｙ２の領域内のみにおいて空間を形成してもよい。
（ｃ）上記各実施形態で採用する穂先竿では、中実竿体と中空竿体との連結部分の外周面にゴム系塗料を塗布するような場合を例示しているが、両者の境界面に他のプリプレグシートを巻回し焼成して一体化させ、さらに周面塗装を施して外観を整える手法も採用できる。若しくは、プリプレグシートに代えて、エポキシ樹脂等を含浸させた紐体を巻回し、焼成して一体化させるような手法も採用できる。
（ｄ）さらに、上記各実施形態に採用し得る別の穂先竿８０を図１８に示す。
【００９５】
この穂先竿８０も、上記第１実施形態と同様に２本の竿体を連結して一本の竿体としたものである。即ち、図１８に示すように、この穂先竿８０は、穂先側に位置する中実竿体８１とその竿元側に位置する中空竿体８２との２本の竿体を連結して固定したものである。
中実竿体８１及び中空竿体８２の構成は、原則として上記第１実施形態と同様のものである。即ち、中実竿体８１は竿元側端部に連結部８３を有し、中空竿体８２は穂先側端部内周が受け部８２となっている。
【００９６】
連結部８３は、竿元側ほど小径化する逆テーパ部分Ｘ３と、その竿元側に連続する軸方向において径の変化しない延伸部Ｙ３と有する。例えば、逆テーパ部分Ｘ３は１０ｍｍ程度、延伸部Ｙ３は１７ｍｍ程度に設定する。
一方、中空竿体８２の内周面は、穂先側端部から順に、第１テーパ部分Ｌ、ストレート部分Ｍ、第２テーパ部分Ｎの３つに区分できる。第１テーパ部分Ｌは竿元側ほど小径化する部分であり、上述の逆テーパ部分Ｘ３に合致するように調整される。ストレート部分Ｍは軸方向に内径が変化しない部分である。上述の延伸部Ｙ３の軸方向長さより短く設定されており、例えば、上記延伸部Ｙ３の例に対応させれば１５ｍｍ程度に設定する。第２テーパ部分Ｎは竿元側ほど大径化するテーパ面である。そして、中空竿体８２と中実竿体８１とは、中実竿体８１の逆テーパ部分Ｘ３及び延伸部Ｙ３の周面に塗布される接着剤によって、接着固定されている。従って、この第１テーパ部分Ｌとストレート部分Ｍとが受け部８４となる。
【００９７】
このような、ストレート部分Ｍ，第２テーパ部分Ｎにより、延伸部Ｙ３の竿元側端部はストレート部分Ｍより竿元側に突出し、延伸部Ｙ３の竿元側端縁と第２テーパ部分Ｎとの間にはクリアランスが発生する。このクリアランスによって、穂先竿８０が大きく撓り、連結部８３と中空竿体８２の穂先側の内周面との接触部分に大きな負荷がかかっても、連結部８３の竿元側端縁は中空竿体８２の内周面に直接接触していないので、この連結部８３の竿元側端縁に応力が集中して、連結部８３の竿元側端縁からの破損が進行し難い。
【００９８】
【発明の効果】
本発明によれば、釣竿全体の長さを調整できる釣竿を提供するにあたり、その長さの変化の程度を自由に設定できる。
【図面の簡単な説明】
【図１】本発明の第１実施形態を採用した釣竿の全体図。
【図２】図１の釣竿の元竿１と元上竿２とを示した図。
【図３】（ａ）図１の元竿１と元上竿２との収納状態を示した図、及び、（ｂ）図１の元竿１と元上竿２との延伸状態を示した図。
【図４】図１の釣竿の穂先竿５を示した図。
【図５】図４の穂先竿５の中実竿体９２と中空竿体９３との連結部分の断面参考図。
【図６】図１の穂先竿５の中実竿体９２の竿元側端部の拡大図。
【図７】図１の釣竿に用いるトップカバー２０の斜視図。
【図８】図７におけるＶＩＩＩ−ＶＩＩＩ断面図。
【図９】トップカバー２０の要部平面図。
【図１０】各竿体を収納してトップカバー２０を装着した状態を示した図。
【図１１】本発明の第２実施形態を採用した釣竿における、（ａ）元竿５１と元上竿５２との収納状態を示した図、（ｂ）元竿５１と元上竿５２との延伸状態を示した図。
【図１２】本発明の第３実施形態を採用した釣竿における、（ａ）元竿５１と元上竿５２との収納状態を示した図、（ｂ）元竿５１と元上竿５２との延伸状態を示した図。
【図１３】本発明の第４実施形態を採用した釣竿の元竿７１と元上竿７２との収納状態を示した図。
【図１４】図１３の元竿７１と元上竿７２との延伸状態を示した図。
【図１５】元上竿７２の製造工程を示した図。
【図１６】他の実施形態を採用した穂先竿を示した図。
【図１７】図１６の穂先竿の変形例を示した図。
【図１８】別の穂先竿８０を示した図。
【図１９】従来の釣竿の一例を示した図。
【符号の説明】
１，５１，６１  元竿
１ａ  嵌合雌部
２，５２，６２  元上竿
２ａ  第１嵌合雄部
２ｂ  第２嵌合雄部
３  第１中竿
４  第２中竿
５，８０  穂先竿
６  リールシート
７  底栓
９  固定ガイド
１０  スライドガイド
１５  補助スリーブ
１６  スリーブ用ガイド
２０  トップカバー
２１  装着基部
２２  ガイド保護部
２３  保持部
２５  ガイド支持部材
２７  固定バンド
２９  突起
３０  貫通孔
３１  基部
３２  挿入部
４０  フレーム
４１  ガイドリング
４２  環状部
９１，９６  竿体
９２，９７  中実竿体
９３，９８  連結部
９４，９９  受け部
９５  ゴム系塗料
１００  芯材
Ｐ１  周方向プリプレグシート
Ｐ２  軸方向プリプレグシート
Ｐ２ａ  第１軸方向プリプレグ素材
Ｐ２ｂ  第２軸方向プリプレグ素材
Ｐ３  補助プリプレグシート
【図１】
2004350660.tif 000003
【図２】
2004350660.tif 000004
【図３】
2004350660.tif 000005
【図４】
2004350660.tif 000006
【図５】
2004350660.tif 000007
【図６】
2004350660.tif 000008
【図７】
2004350660.tif 000009
【図８】
2004350660.tif 000010
【図９】
2004350660.tif 000011
【図１０】
2004350660.tif 000012
【図１１】
2004350660.tif 000013
【図１２】
2004350660.tif 000014
【図１３】
2004350660.tif 000015
【図１４】
2004350660.tif 000016
【図１５】
2004350660.tif 000017
【図１６】
2004350660.tif 000018
【図１７】
2004350660.tif 000019
【図１８】
2004350660.tif 000020
【図１９】
2004350660.tif 000021